(57)【要約】【課題】包装箱等の上面フラップ連結構造において、連結した対向フラップに対して何れの方向から負荷が加わったとしても係合状態が解除されない新規な連結構造を提供する。【解決手段】互いに対向する各フラップＡ，Ｂの前方対向縁を、互いに乗り上げることのできる突出板部１ａ，１ｂを備える段差形状に形成し、各突出板部の段差縁に、乗り上げた対向フラップ上に位置することのできる係止突部４ａ，４ｂを突設すると共に、段差縁に添う一辺を備えた阻止突部５ａ，５ｂを係止突部の後方に連設し、係止突部及び阻止突部を起立状態として各突出板部を対向フラップ上に重合し、係止突部を対向フラップの突出板部上に倒伏した後、阻止突部を対向フラップの突出板部上に倒伏して対向フラップを連結してなる。【選択図】  図９
0003116828.tif 000002
【実用新案登録請求の範囲】
【請求項１】
互いに対向する各フラップの前方対向縁を、互いに乗り上げることのできる突出板部を備える段差形状に形成し、各突出板部の段差縁に、乗り上げた対向フラップ上に位置することのできる係止突部を突設すると共に、段差縁に添う一辺を備えた阻止突部を係止突部の後方に連設し、係止突部及び阻止突部を起立状態として各突出板部を対向フラップ上に重合し、係止突部を対向フラップの突出板部上に倒伏した後、阻止突部を対向フラップの突出板部上に倒伏して対向フラップを連結してなることを特徴とする包装箱等の上面フラップ連結構造。
【請求項２】
一方側の係止突部と他方側阻止突部の形状を一致させてなる請求項１記載の包装箱等の上面フラップ連結構造。
【請求項３】
係止突部及び阻止突部の形状を、リボンのテープリング形状と、リボンの垂れテープ形状としてなる請求項２記載の包装箱等の上面フラップ連結構造。
【請求項４】
係止突部と阻止突部の形状を一致させてなる請求項１記載の包装箱等の上面フラップ連結構造。
【請求項５】
係止突部及び阻止突部の形状を、花弁形状としてなる請求項４記載の包装箱等の上面フラップ連結構造。
【考案の詳細な説明】
【技術分野】
【０００１】
本考案は、包装箱や箱の外周を包装被覆する包装筒等において、上面フラップを連結する構造に関するものである。
【背景技術】
【０００２】
包装箱等の上部フラップの連結構造は、種々提案されているが、対向するフラップを互いに係合する構造としては、実開昭５０−８５５２０号公報（特許文献１）に示しているように、係合溝を備えた係合片を対向フラップの先端に設け、係合溝を噛合わせて連結する構造や、実開昭６２−１５２９１７号公報（特許文献２）に示しているように、係合凹部を備えた係合片を対向フラップの先端縁に設け、係合凹部を組み合わせて連結する構造などが知られている。
【０００３】
【特許文献１】実開昭５０−８５５２０号公報。
【特許文献２】実開昭６２−１５２９１７号公報。
【考案の開示】
【考案が解決しようとする課題】
【０００４】
前記した係合溝や係合凹部の組み合わせは、係合状態を維持する方向（フラップの対向方向）に負荷が加わっても、係合状態が解除されないが、係合状態を解除する方向（係合溝等の噛合わせ方向）に負荷が加わると、簡単に係合状態が解除される。
【０００５】
そこで本考案は、連結した対向フラップに対して何れの方向から負荷が加わったとしても係合状態が解除されない新規な連結構造を提案したものである。
【課題を解決するための手段】
【０００６】
本考案に係る包装箱等の上面フラップ連結構造は、互いに対向する各フラップの前方対向縁を、互いに乗り上げることのできる突出板部を備える段差形状に形成し、各突出板部の段差縁に、乗り上げた対向フラップ上に位置することのできる係止突部を突設すると共に、段差縁に添う一辺を備えた阻止突部を係止突部の後方に連設し、係止突部及び阻止突部を起立状態として各突出板部を対向フラップ上に重合し、係止突部を対向フラップの突出板部上に倒伏した後、阻止突部を対向フラップの突出板部上に倒伏して対向フラップを連結してなることを特徴とするものである。
【０００７】
而して対向フラップを互いに引き離す方向（乗り上げ方向と逆の方向：前後方向）に対しては、互いの係止突部の段差縁後方部分で係止されてフラップの動作を阻止し、また横方向（突出板部を引き離す左右方向）に対しては、阻止突部の段差縁に添う辺が係合状態となり、その移動を阻止する。従って上面の対向フラップを外側にずらす方向に引っ張っても連結が外れることがない。
【０００８】
また本考案（請求項２，３，４，５）は、特に係止突部と阻止突部の形状を特定したものであり、これによって特異なデザインによる係止形状を実現できる。
【考案の効果】
【０００９】
本考案の構成は上記のとおりであるから、包装箱等の上面フラップの連結が簡単に外れることが無く、堅牢に連結される連結構造を実現したものである。また簡単な差込構造ではなく、連結解除に際しても係止突部及び阻止突部の折り曲げ順序（起立順序・阻止突部の折り曲げ）があり、プレゼント等の包装においては、開披動作にパズル的要素が加わり楽しい包装構造を提供できたものである。
【考案を実施するための最良の形態】
【００１０】
＜第一実施形態＞  次に本考案の第一の実施形態を説明する。この第一実施形態は、図１乃至４で示したもので、連結構造の説明のために、連結部分の形状を単純なものとしたものである。
【００１１】
包装箱全体は、図１の展開図の通り、底面部ａの四周に、折れ線１１，１２を介して前後側面フラップｂ及び左右側面フラップｃを連設し、前後側面フラップｂには、折れ線１３を介して上面フラップＡ，Ｂが連設されている。
【００１２】
また左右側面フラップｃには、折れ線１１の延長位置の折れ線１４を介して前後内側面フラップｄが設けられ、各側面フラップｂ，ｃ，ｄを起立し、内側面フラップｄを互いに係合して包装箱を形成する。
【００１３】
本考案は、上面フラップＡ，Ｂの連結構造に特徴を備えるもので、上面フラップＡ，Ｂは、前縁が左右中心部分を階段部とした段差形状である。即ち対向する各フラップＡ，Ｂには、互いに対向フラップＡ，Ｂの非突出板部２ａ，２ｂに乗り上げることのできる突出板部１ａ，１ｂを備える段差形状に形成したものである。
【００１４】
またこの各突出板部１ａ，１ｂと非突出板部２ａ，２ｂの境界の階段部（段差縁）３ａ，３ｂに、係止突部４ａ，４ｂと阻止突部５ａ，５ｂをフラップＡ，Ｂの一部として設けたものである。
【００１５】
係止突部４ａ，４ｂは、段差縁３ａ，３ｂから左右の非突出板部２ａ，２ｂ側に突出して設け、乗り上げた対向フラップ上に位置することのできるように突設したものである。
【００１６】
阻止突部５ａ，５ｂは、後方側に連設したもので、一辺を段差縁３ａ，３ｂに添わせてなるものである。即ち阻止突部５ａ，５ｂを形成すると必然的に所定の段差縁が形成される。
【００１７】
而して対向フラップＡ，Ｂをつき合わせて突出板部１ａ，１ｂを対向フラップの非突出板部２ａ，２ｂ上に乗り上げさせる際に、阻止突部５ａ，５ｂを係止突部４ａ，４ｂとの間の折れ線（厳密に折曲するのではなく、撓曲位置となる部位）６ａ，６ｂで上方に撓曲し、更に係止突部４ａ，４ｂを段差縁３ａ，３ｂと対応する折れ線（前記の折れ線６ａ，６ｂと同様に撓曲部位を意味する）７ａ，７ｂで起立させると、図３に示す状態となるので、前記の突出板部１ａ，１ｂの対向フラップへの乗り上げが支障なくなされる。
【００１８】
次に起立した係止突部４ａ，４ｂを倒伏し、更に阻止突部５ａ，５ｂを倒伏すると、図４に例示するとおり、対向フラップＡ，Ｂは連結状態となる。
【００１９】
そして前記の連結状態では前後方向に対向フラップを引っ張っても、互いの係止突部４ａ，４ｂの段差縁後方部分で係止され、連結されたフラップの連結解除は阻止され、左右方向に対抗フラップを引っ張っても、阻止突部５ａ，５ｂの段差縁に添う辺が係合状態となり、その移動を阻止することになる。
【００２０】
＜第二実施形態＞  図５乃至図９は本考案の第二実施形態で、包装箱の外周を包む包装帯台紙に本件考案を適用した例で、図５の展開図の通り、底面部ａの二辺に、折れ線１１を介して前後側面フラップｂを連設し、前後側面フラップｂには、折れ線１３を介して上面の対向フラップＡ，Ｂを連設したもので、この上面対向フラップＡ，Ｂに前記第一実施形態と同様の連結構造を採用したものである。
【００２１】
即ち対向フラップＡ，Ｂに、第一実施形態と同様の構成の係止突部４ａ，４ｂ及び阻止突部５ａ，５ｂを設けたもので、特に係止突部４ａ，４ｂの折れ線７ａ，７ｂの両端は、撓曲が容易になされるような切込み８ａ，８ｂを設けてなる。
【００２２】
更にフラップＡの係止突部４ａとフラップＢの阻止突部５ｂをリボンのテープリング部分の形に形成し、フラップＡの阻止突部５ａとフラップＢの係止突部４ｂを、リボンの垂れテープの形に形成しておくと、連結状態では、図９に示すように連結部はリボン掛け形状となる。
【００２３】
勿論連結操作は第一実施形態と同様で、阻止突部５ａ，５ｂを係止突部４ａ，４ｂとの間の折れ線６ａ，６ｂで上方に撓曲し、更に係止突部４ａ，４ｂを段差縁３ａ，３ｂと対応する折れ線７ａ，７ｂで起立させ（図７参照）、突出板部１ａ，１ｂを対向フラップへの乗り上げ、起立した係止突部４ａ，４ｂを倒伏し、更に阻止突部５ａ，５ｂを倒伏すると連結状態となるものである。（図８参照）。
【００２４】
特に第二実施形態のように、係止突部４ａ，４ｂ及び阻止突部５ａ，５ｂ阻止部を所定の形状に形成しておくことで、所望のデザインの連結部を形成できる。
【００２５】
＜第三実施形態＞  図１０，１１は本考案の第三実施形態で、基本的構成は前記の第一第二実施形態と同様であるが、特に係止突部４ａ，４ｂ及び阻止突部５ａ，５ｂが、点対称の同一形状（花弁形状）としたもので、段差縁３ａ，３ｂが前後方向に直線でなくとも本考案が実施され、また連結部の連結形態が四弁の花を表現したものとなる。
【図面の簡単な説明】
【００２６】
【図１】本考案の第一実施形態の展開図。
【図２】同組立途中の斜視図。
【図３】同組立途中の連結部分の説明図。
【図４】同組み上がり状態（連結後）の斜視図。
【図５】本考案の第二実施形態の展開図。
【図６】同連結前（非重ね合わせ状態）の平面図。
【図７】同連結途中（突部起立状態）の説明図（平面図）。
【図８】同連結途中（重ね合わせ後の突部動作）の説明図（平面図）。
【図９】同組み上がり状態（連結後）の平面図。
【図１０】本考案の第三実施形態の連結前（非重ね合わせ状態）の平面図。
【図１１】同組み上がり状態（連結後）の平面図。
【符号の説明】
【００２７】
Ａ，Ｂ        対向フラップ
１ａ，１ｂ    突出板部
２ａ，２ｂ    非突出板部
３ａ，３ｂ    段差縁
４ａ，４ｂ    係止突部
５ａ，５ｂ    阻止突部
６ａ，６ｂ，７ａ，７ｂ，１１，１３，１４  折れ線
８ａ，８ｂ    切込み
【図１】
0003116828.tif 000003
【図２】
0003116828.tif 000004
【図３】
0003116828.tif 000005
【図４】
0003116828.tif 000006
【図５】
0003116828.tif 000007
【図６】
0003116828.tif 000008
【図７】
0003116828.tif 000009
【図８】
0003116828.tif 000010
【図９】
0003116828.tif 000011
【図１０】
0003116828.tif 000012
【図１１】
0003116828.tif 000013